(57)【要約】【課題】  出荷形態に応じて効率よく振分けを行うことが可能な遊技機の製造ラインを提供する。また、遊技盤製造ラインでの遊技盤の製造終了と略同時に遊技盤出荷ライン及び本体製造ラインへの振分けを完了することができる遊技機の製造ラインを提供する。【解決手段】  遊技盤製造ライン１２で製造された遊技盤２１は、遊技盤出荷ライン１３にて出荷され、本体製造ライン１４にてパチンコ機本体４０を製造するのに用いられる。本体製造ライン１４で製造されたパチンコ機本体４０は、本体出荷ライン１５にて出荷される。また、遊技盤製造ライン１２で製造された遊技盤２１は、振分け装置３０により、遊技盤２１の予定出荷個数を分割して設定した所定個数及びパチンコ機本体４０の予定出荷個数を分割して設定した所定個数ごとに、遊技盤出荷ライン１３と本体出荷ライン１５とに交互に振り分けられる。【選択図】  図１
2005124659.tif 000002
【特許請求の範囲】
【請求項１】
遊技盤の製造を行う遊技盤製造ラインと、前記遊技盤製造ラインで製造された前記遊技盤を出荷する遊技盤出荷ラインと、前記製造された遊技盤を枠体に組み付けて遊技機本体を製造する本体製造ラインと、前記本体製造ラインで製造された前記遊技機本体を出荷する本体出荷ラインとを有する遊技機の製造ラインであって、
前記遊技盤製造ラインで製造された前記遊技盤を、遊技盤出荷すべき予定個数と本体出荷すべき予定個数との割合に応じた所定の振分け割合で、前記遊技盤出荷すべき予定個数を分割して設定した所定個数及び前記本体出荷すべき予定個数を分割して設定した所定個数ごとに、前記遊技盤出荷ラインと前記本体製造ラインとに交互に振り分ける遊技盤振分け手段を備えたことを特徴とする遊技機の製造ライン。
【請求項２】
遊技盤出荷すべき予定個数と本体出荷すべき予定個数との最大公約数で両個数を各々除した簡単な整数比に基づき、前記遊技盤出荷ラインと前記本体製造ラインとに振り分ける前記所定個数を決定することを特徴とする請求項１に記載の遊技機の製造ライン。
【請求項３】
遊技盤出荷すべき予定個数と本体出荷すべき予定個数とを所定の桁数で端数処理し、その処理後の各個数を最大公約数で除した簡単な整数比に基づき、前記遊技盤出荷ラインと前記本体製造ラインとに振り分ける前記所定個数を決定することを特徴とする請求項１に記載の遊技機の製造ライン。
【請求項４】
前記本体製造ラインにおける製造進行状況を把握する進行状況把握手段を備え、前記進行状況把握手段で把握した実際の製造進行状況が、あらかじめ決定された製造進行計画から外れた場合、前記遊技盤振分け手段は、少なくとも前記製造進行状況が前記製造進行計画どおりになるまでの一定期間、前記遊技盤の振分け割合を変更することを特徴とする請求項１乃至３のいずれか１項に記載の遊技機の製造ライン。
【請求項５】
前記進行状況把握手段は、前記本体製造ラインにおける複数の工程のうち少なくとも１つの工程の所要時間を計測可能な計測手段であり、
前記工程の所要時間をあらかじめ決定することにより前記製造進行計画を立て、
前記計測手段で実測した前記工程の所要時間から前記製造進行状況を把握し、
前記製造進行計画に比して前記製造進行状況が進んでいる場合には、少なくとも前記製造進行状況の進みが解消されて前記製造進行計画どおりになるまでの一定期間、前記遊技盤振分け手段により前記本体製造ラインに優先的に前記遊技盤を振り分ける一方、
前記製造進行計画に比して前記製造進行状況が遅れている場合には、少なくとも前記製造進行状況の遅れが解消されて前記製造進行計画どおりになるまでの一定期間、前記遊技盤振分け手段により前記遊技盤出荷ラインに優先的に前記遊技盤を振り分ける
ことを特徴とする請求項４に記載の遊技機の製造ライン。
【発明の詳細な説明】
【技術分野】
【０００１】
本発明は、遊技盤を各種ラインに振り分ける遊技機の製造ラインに関するものである。
【背景技術】
【０００２】
近年、遊技機業界においては、多種多様の遊技機が開発され、製造販売されている。さらに、同機種であっても、セルのデザインや色彩が異なっていたり、遊技スペック（大当たり確率や時短回数など）が異なっていたりする遊技機もある。遊技ホールは、メーカーが提案した機種、デザインあるいは遊技スペックなどが異なる様々な種類の遊技機の中から、最適と思われる種類の遊技機を選択して、メーカーに発注する。メーカーは、遊技ホールからの受注に応じて、一括して製造された遊技機を機種やデザインなどの種類ごとに仕分けし、さらに出荷先ごとに仕分けすることにより、ようやく出荷することができる。しかし、このような仕分け作業を何度も繰り返すことは効率が悪い。また、機械を用いずに作業者によって仕分け作業が繰り返される場合には、工程が増えるほど、遊技機を数え間違えたり、遊技機の種類を間違えたりするなどの作業ミスが生じる可能性も高くなる。
【０００３】
そこで、何度も仕分け作業を行うのを避ける一方、機種識別情報及び出荷先識別情報に基づいて種類ごと及び出荷先ごとに遊技盤を仕分けすることにより、仕分け作業を確実化して作業ミスを防止することが考えられている（例えば、特許文献１参照）。
【０００４】
【特許文献１】特開２００２−１２６２０３号公報
【発明の開示】
【発明が解決しようとする課題】
【０００５】
ところで、特許文献１には、遊技機の出荷方法として、遊技盤を遊技枠とセットで出荷するいわゆる本体出荷のみが開示されているに過ぎない。しかし現状では、本体出荷に加え、遊技盤のみを出荷するいわゆる遊技盤出荷も行われている。このため、遊技機の製造ラインには、遊技盤のみを製造する遊技盤製造ラインと、遊技盤を枠体に組み付けて遊技機本体を製造する本体製造ラインとが存在し、通常は遊技盤の製造と遊技機本体の製造とが並列的に同時進行される。しかし、特許文献１に記載の技術内容では、２種類の出荷形態があることについては全く考慮されていない。
【０００６】
よって、作業者は、遊技盤製造ラインの製造スピード、本体製造ラインの製造スピード、さらには遊技盤出荷ライン及び本体出荷ラインの出荷スピードに考慮しつつ遊技盤の振分けを行わなければならない。その結果、作業者による振分けミスが生じる可能性が高くなり、出荷形態に応じて効率よく振分けを行うことができなくなる。
【０００７】
本発明は上記の課題に鑑みてなされたものであり、その目的は、出荷形態に応じて効率よく振分けを行うことが可能な遊技機の製造ラインを提供することにある。また、本発明の他の目的は、遊技盤製造ラインでの遊技盤の製造終了と略同時に遊技盤出荷ライン及び本体製造ラインへの振分けを完了することができる遊技機の製造ラインを提供することにある。
【課題を解決するための手段】
【０００８】
上記の課題を解決するために、請求項１に記載の発明は、遊技盤の製造を行う遊技盤製造ラインと、前記遊技盤製造ラインで製造された前記遊技盤を出荷する遊技盤出荷ラインと、前記製造された遊技盤を枠体に組み付けて遊技機本体を製造する本体製造ラインと、前記本体製造ラインで製造された前記遊技機本体を出荷する本体出荷ラインとを有する遊技機の製造ラインであって、前記遊技盤製造ラインで製造された前記遊技盤を、遊技盤出荷すべき予定個数と本体出荷すべき予定個数との割合に応じた所定の振分け割合で、前記遊技盤出荷すべき予定個数を分割して設定した所定個数及び前記本体出荷すべき予定個数を分割して設定した所定個数ごとに、前記遊技盤出荷ラインと前記本体製造ラインとに交互に振り分ける遊技盤振分け手段を備えたことを特徴とする遊技機の製造ラインをその要旨とする。
【０００９】
従って、請求項１に記載の発明によると、遊技盤振分け手段による遊技盤の振分けにより、遊技盤出荷を行いつつ本体製造ラインへの遊技盤の供給も可能となる。よって、遊技盤製造ラインでの遊技盤の製造終了と略同時に遊技盤出荷ライン及び本体製造ラインへの振分けを完了することができる。従って、先程とは異なる種類の遊技盤の製造を時間をおかずに開始することができるとともに、その振分けを開始することができる。
【００１０】
さらに、遊技盤製造ラインで製造された遊技盤が、遊技盤振分け手段により、遊技盤出荷すべき予定個数と本体出荷すべき予定個数との割合に応じた所定の振分け割合で、遊技盤出荷すべき予定個数を分割して設定した所定個数及び本体出荷すべき予定個数を分割して設定した所定個数ごとに、遊技盤出荷ラインと本体製造ラインとに交互に振り分けられる。そのため、作業者が遊技盤出荷と本体出荷の数量をチェックしながら遊技盤を振り分ける必要がなくなり、効率の良い振分けが可能となる。加えて、遊技盤振分け手段による振分け作業の機械化（自動化）により、作業者による振分けミスもなくなる。ゆえに、出荷形態に応じて効率よく振分けを行うことができる。
【００１１】
遊技盤を振り分ける方法としては、例えば、遊技盤を導く方向をアクチュエータによって遊技盤出荷ライン側または本体製造ライン側に切り替える方法が挙げられる。それ以外にも、例えば、第１のアクチュエータによって遊技盤を遊技盤出荷ラインに導き、第２のアクチュエータによって遊技盤を本体製造ラインに導く方法を用いてもよい。また、ロボットによって遊技盤を把持して遊技盤出荷ラインまたは本体製造ラインに搬送する方法を用いてもよい。
【００１２】
また、例えば、遊技盤の出荷量を５００枚、遊技機本体の出荷量を１０００台に設定し、遊技盤出荷：本体出荷＝１：２に設定した場合、遊技盤出荷ラインに遊技盤出荷すべき予定個数と略同数の遊技盤を連続して導いた後、本体製造ラインに本体出荷すべき予定個数と略同数の遊技盤を連続して導くようにすることは好ましくない。なぜなら、異なる種類の遊技盤を製造する場合、互いの混同を避けるために、例えば遊技盤Ａの振分けが完全に終了した後で、遊技盤Ｂの振分けを開始したいからである。従って、遊技盤出荷すべき予定個数を分割して設定した所定個数及び本体出荷すべき予定個数を分割して設定した所定個数は、比較的少数であることがよい。例えば、遊技盤出荷ラインへの１枚の遊技盤の供給と、本体製造ラインへの２枚の遊技盤の供給とが交互に行われるようにしてもよい。このようにすれば、遊技盤出荷を行いつつ、本体製造ラインを介して本体出荷を行い得る。通常、出荷に際しては、出荷先ごとに所定数の遊技盤と遊技機本体とを１単位（ロット）として詰め合わせて準備が行われる。この場合、遊技盤出荷と本体出荷とが略同時になされれば、随時出来上がったものから出荷準備、即ち遊技盤と遊技機本体との詰め合わせを行うことができる。よって、遊技盤出荷ラインへの遊技盤の振り分けと本体製造ラインへの遊技盤の振分けとを、最も効率良く行うことができる。
【００１３】
ここで、「枠体」は、外枠の開口前面側に開閉及び着脱自在に組み付けられた前枠であることが好ましい。
【００１４】
請求項２に記載の発明は、請求項１において、遊技盤出荷すべき予定個数と本体出荷すべき予定個数との最大公約数で両個数を各々除した簡単な整数比に基づき、前記遊技盤出荷ラインと前記本体製造ラインとに振り分ける前記所定個数を決定することを要旨とする。
【００１５】
従って、請求項２に記載の発明によれば、１回ごとに遊技盤出荷ラインと本体製造ラインとに振り分けられる遊技盤の所定個数を少なく設定できるため、遊技盤出荷ライン及び本体製造ラインへの振分けを略同時に終えることができる。
【００１６】
請求項３に記載の発明は、請求項１において、遊技盤出荷すべき予定個数と本体出荷すべき予定個数とを所定の桁数で端数処理し、その処理後の各個数を最大公約数で除した簡単な整数比に基づき、前記遊技盤出荷ラインと前記本体製造ラインとに振り分ける前記所定個数を決定することを要旨とする。
【００１７】
遊技盤出荷すべき予定個数と本体出荷すべき予定個数との最大公約数で両個数を各々除した簡単な整数比が大きくなってしまう場合、例えば、遊技盤出荷すべき予定個数及び本体出荷すべき予定個数の少なくとも一方が割り切れない数である場合、１回ごとに遊技盤出荷ラインと本体製造ラインとに振り分けられる所定個数が大きくなってしまう。このため、遊技盤出荷ライン及び本体製造ラインへの振分けを略同時に終えることが困難になる。
【００１８】
その点、請求項３に記載の発明によれば、遊技盤出荷すべき予定個数と本体出荷すべき予定個数とをあらかじめ所定の桁数で端数処理しておき、その処理後の各個数を最大公約数で除すことにより簡単な整数比が導出される。そして、その整数比に基づくことで、１回ごとに遊技盤出荷ラインと本体製造ラインとに振り分けられる遊技盤の所定個数を少なく設定できる。従って、遊技盤出荷すべき予定個数及び本体出荷すべき予定個数の少なくとも一方に端数が存在する場合であっても、遊技盤出荷ライン及び本体製造ラインへの振分けを略同時に終えることができる。
【００１９】
なお、端数処理の方法としては、所定の桁数の四捨五入、切り捨て、切り上げなどの方法を用いることが挙げられる。また、「所定の桁数」は、遊技盤出荷すべき予定個数及び本体出荷すべき予定個数において、できるだけ下の位(例えば、百の位よりも十の位、十の位よりも一の位)であることが好ましい。このようにすれば、遊技盤出荷ラインと本体製造ラインとに連続して振り分ける遊技盤の数を少なくできる。
【００２０】
また、最後に振り分ける遊技盤の数を、端数処理分の誤差を補正した上で決定する。そして、決定された数に応じた遊技盤を連続して一方のラインに振り分けることにより、遊技盤出荷ライン及び本体製造ラインへの振分けを略同時に終えることができる。
【００２１】
例えば、遊技盤の予定個数を５００枚、遊技機本体の予定個数を１００２枚に設定し、遊技盤の予定個数と遊技機本体の予定個数とを一の位で端数処理（四捨五入）する。その結果、端数処理後の遊技盤の予定個数が５００枚、端数処理後の遊技機本体の予定個数が１０００枚に近似される。そして、遊技盤出荷ラインに連続して振り分ける遊技盤の数を５枚に決定し、本体製造ラインに連続して振り分ける遊技盤の数を１０枚に決定した場合、最後に本体製造ラインに１０枚の遊技盤を振り分けると、端数処理分の誤差が生じ、遊技機本体の予定個数が２枚不足する。この場合、最後に振り分ける遊技盤の数を、２枚の遊技盤を加算した１２枚に決定し、１２枚の遊技盤を連続して本体製造ラインに振り分けることにより、遊技盤出荷ライン及び本体製造ラインへの振分けを略同時に終えることができる。
【００２２】
また、遊技盤の予定個数を５００枚、遊技機本体の予定個数を９９８枚に設定し、遊技盤の予定個数と遊技機本体の予定個数とを一の位で端数処理（四捨五入）する。その結果、端数処理後の遊技盤の予定個数が５００枚、端数処理後の遊技機本体の予定個数が１０００枚に近似される。そして、遊技盤出荷ラインに連続して振り分ける遊技盤の数を５枚に決定し、本体製造ラインに連続して振り分ける遊技盤の数を１０枚に決定した場合、最後に本体製造ラインに１０枚の遊技盤を振り分けると、端数処理分の誤差が生じ、遊技機本体が予定個数よりも２枚余分に製造されてしまう。この場合、最後に振り分ける遊技盤の数を、不足した２枚の遊技盤を減算した８枚に決定し、８枚の遊技盤を連続して本体製造ラインに振り分けることにより、遊技盤出荷ライン及び本体製造ラインへの振分けを略同時に終えることができる。
【００２３】
請求項４に記載の発明は、請求項１乃至３のいずれか１項において、前記本体製造ラインにおける製造進行状況を把握する進行状況把握手段を備え、前記進行状況把握手段で把握した実際の製造進行状況が、あらかじめ決定された製造進行計画から外れた場合、前記遊技盤振分け手段は、少なくとも前記製造進行状況が前記製造進行計画どおりになるまでの一定期間、前記遊技盤の振分け割合を変更することを要旨とする。
【００２４】
遊技盤出荷ラインは、製造が完了した遊技盤をそのまま出荷するラインであるため、出荷が滞ることは少ない。これに対して、本体出荷ラインでは、本体製造ラインでの製造に際して組み付けに手間取ったりして予想以上に時間がかかったり、チェックに際して不具合が発見されてラインの可動が停止されることもある。即ち、遊技盤出荷ラインに比べれば滞る可能性が高い。つまり、様々な要因により、本体製造ラインが遊技機本体を製造進行計画どおりに製造することができるとは限らない。
【００２５】
その点、請求項４に記載の発明によれば、本体製造ラインの実際の製造進行状況が製造進行計画よりも遅れた場合には、少なくとも前記製造進行状況の遅れが解消されて前記製造進行計画どおりになるまでの一定期間、遊技盤振分け手段が遊技盤出荷ラインに優先的に遊技盤を振り分ける。これにより、遊技盤製造ラインからの本体製造ラインへの遊技盤の供給が過剰となるのを避けることができる。一方、本体製造ラインの実際の製造進行状況が製造進行計画よりも進んだ場合には、少なくとも前記製造進行状況の進みが解消されて前記製造進行計画どおりになるまでの一定期間、遊技盤振分け手段が本体製造ラインに優先的に遊技盤を振り分ける。
【００２６】
従って、遊技盤振分け手段は、本体製造ラインにおける製造進行状況に応じて振分けを行うことにより、遊技盤出荷ライン及び本体製造ラインへの振分けを最も効率良く、しかも並列的に同時進行させることができる。仮に、この振分けを作業者が行う場合には、遊技盤製造ラインの製造スピード、本体製造ラインの製造スピード、さらには遊技盤出荷ライン及び本体出荷ラインの出荷スピードに考慮しつつ遊技盤の振分けを行わなければならない。そのため、多大な労力や熟練を要し、振分けミスも生じ易くなるが、遊技盤振分け手段を用いる場合には、その心配がない。
【００２７】
請求項５に記載の発明は、請求項４において、前記進行状況把握手段は、前記本体製造ラインにおける複数の工程のうち少なくとも１つの工程の所要時間を計測可能な計測手段であり、前記工程の所要時間をあらかじめ決定することにより前記製造進行計画を立て、前記計測手段で実測した前記工程の所要時間から前記製造進行状況を把握し、前記製造進行計画に比して前記製造進行状況が進んでいる場合には、少なくとも前記製造進行状況の進みが解消されて前記製造進行計画どおりになるまでの一定期間、前記遊技盤振分け手段により前記本体製造ラインに優先的に前記遊技盤を振り分ける一方、前記製造進行計画に比して前記製造進行状況が遅れている場合には、少なくとも前記製造進行状況の遅れが解消されて前記製造進行計画どおりになるまでの一定期間、前記遊技盤振分け手段により前記遊技盤出荷ラインに優先的に前記遊技盤を振り分けることを要旨とする。
【００２８】
従って、請求項５に記載の発明によると、進行状況把握手段として、本体製造ラインの複数の工程のうち少なくとも１つの工程の所要時間を計測する計測手段が用いられているため、製造進行状況を高い精度で把握することができる。よって、遊技盤振分け手段により、遊技盤を遊技盤出荷ラインと本体製造ラインとに正確に振り分けることができる。
【００２９】
なお、進行状況把握手段は、単位時間内に本体製造ラインを通過する遊技盤の数を計測するカウンタであってもよいし、単位時間内に本体製造ラインを通過する遊技盤を撮影し、撮影された画像を処理することによって遊技盤の通過数を把握する画像処理手段などであってもよい。
【００３０】
なお、計測手段は、本体製造ラインの複数の工程のうち１つの工程の所要時間のみを計測するのではなく、全工程の所要時間を計測するようにしてもよい。これにより、本体製造ラインのどの工程で滞りが生じているかを正確に知ることができる。さらに、本体製造ラインの全工程の所要時間を計測するだけでなく、本体出荷ラインの複数の工程のうち少なくとも１つの工程の所要時間も含めて計測するようにしてもよい。
【発明の効果】
【００３１】
以上詳述したように、請求項１〜５に記載の発明によれば、出荷形態に応じて効率よく振分けを行うことが可能な遊技機の製造ラインを提供することができる。また、遊技盤製造ラインでの遊技盤の製造終了と略同時に遊技盤出荷ライン及び本体製造ラインへの振分けを完了することができる遊技機の製造ラインを提供することができる。
【発明を実施するための最良の形態】
【００３２】
以下、本発明を遊技機の製造ラインに具体化した一実施形態を図１〜図８に基づき説明する。
【００３３】
図１に示されるように、遊技機の製造ライン１１は、遊技機本体としてのパチンコ機本体４０や、パチンコ機本体４０を構成する遊技盤２１を製造するためのものである。製造ライン１１は、遊技盤製造ライン１２、遊技盤出荷ライン１３、本体製造ライン１４及び本体出荷ライン１５を有している。遊技盤製造ライン１２の終端は遊技盤出荷ライン１３と本体製造ライン１４とに分岐され、本体製造ライン１４の終端は本体出荷ライン１５の始端に接続されている。即ち、製造ライン１１は、遊技盤製造ライン１２→遊技盤出荷ライン１３の順に遊技盤２１が流れるルートと、遊技盤製造ライン１２→本体製造ライン１４→本体出荷ライン１５の順に遊技盤２１（パチンコ機本体４０）が流れるルートとを有している。
【００３４】
図２には、遊技盤製造ライン１２によって製造される遊技盤２１が示されている。遊技盤２１を構成する遊技盤本体２１ａの遊技盤面２２には、複数の釘が打ち込まれている。これにより、操作手段４９(図３参照)によって発射された遊技球は、釘に当たって跳ねたり、複数の釘によって形成される案内路に案内されたりしながら、落下するようになっている。また、遊技盤面２２には、落下する遊技球の向きを変える複数の風車２４が取り付けられている。さらに、遊技盤面２２には複数の入賞口２５が設けられている。これらの入賞口２５に遊技球が入ると、遊技者に所定数の遊技球が払い出されるようになっている。
【００３５】
遊技盤２１の遊技盤面２２の略中央部には、矩形状開口部を有する枠状の大型装飾部材（センター役物）２６が装着されている。大型装飾部材２６の奥側には、可視表示部Ｈ（表示画面）を備えた液晶式図柄表示装置２７が配設されている。なお、可視表示部Ｈは矩形状開口部から露出しており、視認可能とされている。この液晶式図柄表示装置２７の下方には、図示しないソレノイドにより開閉動作を行う普通電動役物を備えた始動入賞口２８が配設されている。また、始動入賞口２８の下方には、図示しないソレノイドにより開閉動作を行う大入賞口２９が配置されている。
【００３６】
また、図３には、前記本体製造ライン１４によって製造される前記パチンコ機本体４０の機表側が略示されている。機体の外郭をなす外枠４１(枠体)の開口前面側には、各種の遊技用構成部材をセットする縦長方形の前枠４３が開閉及び着脱自在に組み付けられている。前枠４３の前面側には、ガラス保持枠４４及び上球皿４５がともに横開き状態で開閉可能に組み付けられている。ガラス保持枠４４は、機内部に配置された遊技盤２１を透視保護するためのガラス枠を備えている。また、上球皿４５の両側方には、遊技の演出状態に応じて各種音声（効果音など）を出力するスピーカ４７が設けられている。また、前枠４３の下部には、下球皿４８及び操作手段４９などが装着されている。
【００３７】
図１に示される前記遊技盤製造ライン１２では、前記遊技盤本体２１ａ（図２参照）に対して、セル（図示略）を貼付する工程、多軸穴あけを施す工程、ゲージプレスを行う工程及びルータ加工を施す工程が順次行われるようになっている。そして、遊技盤本体２１ａに、複数の釘（図示略）を打ち込む工程と、図２に示される風車２４、入賞口２５、大型装飾部材２６、液晶式図柄表示装置２７、始動入賞口２８及び大入賞口２９などを取り付ける工程と、液晶式図柄表示装置２７を制御する表示制御基板（図示略）を装着する工程とが順次行われることにより、遊技盤２１が製造されるようになっている。その後、遊技盤製造ライン１２では、製造された遊技盤２１の良否を検査する工程と、遊技盤２１に貼付されたバーコードシールから、機種名、製造業者名、部品分類、製造日、シリアル番号などの情報を含むバーコードを、バーコード読取装置（図示略）によって読み取る工程とが順次行われるようになっている。なお、本実施形態ではバーコードが用いられているが、ＱＲコードなどの他のコードを用いてもよい。
【００３８】
図１に示される前記遊技盤出荷ライン１３では、バーコードに含まれる情報と保証番号とを関連付ける工程と、保証番号に対応した遊技盤保証番号票を遊技盤本体２１ａに貼付する工程と、保証番号に対応した基板管理番号票を表示制御基板に貼付する工程とが順次行われるようになっている。そして、それぞれの番号票の照合が確認されると、遊技盤２１が出荷先(遊技ホール)ごとに梱包されて出荷されるようになっている。
【００３９】
また、前記本体製造ライン１４では、前記遊技盤製造ライン１２にて製造された遊技盤２１を前記前枠４３（図３参照）に組み付ける工程が行われるようになっている。そして、図３に示される外枠４１に前枠４３を組み付け、さらに該前枠４３にガラス保持枠４４、上球皿４５、スピーカ４７、下球皿４８及び操作手段４９などを取り付ける工程と、機裏側に、スピーカ４７を制御する音声制御基板（図示略）、遊技機全体を制御する主制御基板（図示略）及び発光装飾を行う発光体(図示略)を制御するランプ制御基板（図示略）を装着する工程とが順次行われることにより、パチンコ機本体４０（図３参照）が製造されるようになっている。その後、本体製造ライン１４では、製造されたパチンコ機本体４０の良否を検査する工程と、パチンコ機本体４０に貼付されたバーコードシールから、機種名、製造業者名、部品分類、製造日、シリアル番号などの情報を含むバーコードを、前記バーコード読取装置によって読み取る工程とが順次行われるようになっている。
【００４０】
図１に示される前記本体出荷ライン１５では、バーコードに含まれる情報と保証番号とを関連付ける工程と、保証番号に対応した遊技盤保証番号票を遊技盤本体２１ａに貼付する工程と、保証番号に対応した本体枠保証番号票を外枠４１に貼付する工程と、保証番号に対応した基板管理番号票を主制御基板に貼付する工程とが順次行われるようになっている。そして、それぞれの番号票の照合が確認されると、パチンコ機本体４０が出荷先(遊技ホール)ごとに梱包されて出荷されるようになっている。
【００４１】
図１に示されるように、前記遊技盤製造ライン１２と、前記遊技盤出荷ライン１３及び本体製造ライン１４との接続部分には、遊技盤振分け手段としての振分け装置３０が設置されている。振分け装置３０はロッド付きエアシリンダ３１を備えている。このエアシリンダ３１は、空気圧によって遊技盤製造ライン１２の幅方向(図１における矢印Ａ１，Ａ２方向)に出没するロッド３１ａを備えている。ロッド３１ａが矢印Ａ１方向に突出した場合、遊技盤２１は、ロッド３１ａの先端の押圧プレートに押圧されて遊技盤出荷ライン１３側に搬入されるようになっている。また、ロッド３１ａが矢印Ａ２方向に没入した場合、遊技盤２１は、ロッド３１ａに押圧されずにそのまま直進して、本体製造ライン１４側に搬入されるようになっている。
【００４２】
図１に示されるように、本体製造ライン１４の始端側(遊技盤出荷ライン１３との分岐部分)には、遊技盤検出センサ１９が設けられている。遊技盤検出センサ１９は、本体製造ライン１４における１つの工程を通過する遊技盤２１を検出して遊技盤検出信号を出力するようになっている。本実施形態において、前記遊技機検出センサ１９は、遊技盤製造ライン１２の全工程が完了してから、本体製造ライン１４において遊技盤２１の外枠４１への組み付けを開始するまでの製造側前工程に設けられている。
【００４３】
図１に示されるように、前記振分け装置３０は、データ入力操作部５１と、表示手段としての液晶ディスプレイ５２とを備えている。液晶ディスプレイ５２は、前記パチンコ機本体４０の出荷進行状況などを表示するようになっている。よって、例えば、「本体出荷が遅れています。」、「遊技盤出荷が遅れています。」などといった文章を液晶ディスプレイ５２に表示することで、本体製造ライン１４の製造進行状況などを作業者に報知することができる。従って、作業者は、液晶ディスプレイ５２の表示を確認することで、製造ライン１１上に発生した問題を把握することができる。なお、本実施形態では、振分け装置３０は液晶ディスプレイ５２を備えているが、省略した構成としてもよい。
【００４４】
図４に示されるように、製造ライン１１は、製造ライン１１全体を制御する制御部５０を備えている。制御部５０はＣＰＵ５０ａを備えており、ＣＰＵ５０ａには、ＲＯＭ５０ｂ、ＲＡＭ５０ｃ及びインターフェイス（Ｉ／Ｆ）５０ｄが接続されている。ＣＰＵ５０ａは、製造ライン１１全体を制御するための各種処理を実行し、その処理結果に応じて各種の制御コマンドを演算処理するようになっている。そして、ＣＰＵ５０ａは、前記制御コマンドを所定の制御信号として出力するようになっている。ＲＯＭ５０ｂには、製造ライン１１を制御するための制御プログラムなどが記憶されている。また、ＲＡＭ５０ｃには、製造ライン１１の動作に必要な各種の情報が一時的に記憶されるようになっている。
【００４５】
図４に示されるように、インターフェイス５０ｄには、データ入力操作部５１、前記エアシリンダ３１、前記遊技盤検出センサ１９及び前記液晶ディスプレイ５２が接続されている。
【００４６】
データ入力操作部５１は、前記遊技盤２１の予定出荷個数を示す遊技盤出荷データ、前記パチンコ機本体４０の予定出荷個数を示す本体出荷データ、遊技盤２１及びパチンコ機本体４０の出荷に必要な予定時間を示す出荷時間データなどの各種データを入力するためのものである。これらのデータは、遊技盤２１の機種ごとに入力されるようになっている。また、これらのデータは、インターフェイス５０ｄ及びＣＰＵ５０ａを介してＲＡＭ５０ｃに記憶されるようになっている。
【００４７】
ＣＰＵ５０ａは、ＲＡＭ５０ｃに記憶された遊技盤出荷データ、本体出荷データ及び出荷時間データなどに基づいて、前記本体製造ライン１４における製造進行計画を算出するようになっている。具体的には、ＣＰＵ５０ａは、１分当たり何台のパチンコ機本体４０を製造するか、パチンコ機本体４０の製造が開始されてから所定時間が経過するまでの間に何台のパチンコ機本体４０を製造するか、などを算出するようになっている。例えば、パチンコ機本体４０の予定出荷個数を１０００台に設定し、パチンコ機本体４０の製造に必要な予定時間を５００分に設定した場合、１分当たりのパチンコ機本体４０の製造数は２台となる。また、パチンコ機本体４０の製造が開始されてから１時間後のパチンコ機本体４０の製造数は１２０台となり、２時間後のパチンコ機本体４０の製造数は２４０台となる。
【００４８】
また、ＣＰＵ５０ａは、遊技盤出荷データ及び本体出荷データに基づいて、遊技盤２１の予定出荷個数とパチンコ機本体４０の予定出荷個数との最大公約数で両個数を各々除すことにより、両個数の簡単な整数比を導出するようになっている。そして、ＣＰＵ５０ａは、導出された簡単な整数比に基づき、遊技盤出荷ライン１３と本体製造ライン１４とに振り分ける遊技盤２１の所定個数(連続搬入数)を決定し、決定されたそれぞれの所定個数を遊技盤振分けデータとしてＲＡＭ５０ｃに記憶させるようになっている。
【００４９】
なお、遊技盤出荷ライン１３と本体製造ライン１４とに振り分ける遊技盤２１の所定個数(連続搬入数)は、遊技盤２１の機種ごとに設定されるようになっている。例えば、ある遊技ホールに対して、それぞれデザインの異なるセルが貼付された遊技盤Ａ、遊技盤Ｂ、遊技盤Ｃを所定数ずつ出荷する契約がある場合を想定する。この場合は、それぞれの遊技盤Ａ〜Ｃに対して、遊技盤出荷ライン１３と本体製造ライン１４とに振り分ける遊技盤Ａ〜Ｃの所定個数(連続搬入数)がそれぞれ設定される。
【００５０】
また、遊技盤２１の予定出荷個数を５００枚、パチンコ機本体４０の予定出荷個数を１０００台に設定した場合、両個数の最大公約数は５００となる。この場合、両個数を最大公約数で各々除すと、遊技盤出荷：本体出荷＝１：２という整数比が導出される。その結果、導出された整数比に基づき、遊技盤出荷ライン１３に振り分ける遊技盤２１の所定個数(連続搬入数)が１枚に決定され、本体製造ライン１４に振り分ける遊技盤２１の所定個数(連続搬入数)が２枚に決定される。そして、決定されたそれぞれの所定個数が遊技盤振分けデータとしてＲＡＭ５０ｃに記憶される。よって、１回ごとに遊技盤出荷ライン１３と本体製造ライン１４とに振り分けられる遊技盤２１の所定個数(連続搬入数)を少なく設定できるため、遊技盤製造ライン１２での遊技盤２１の製造終了と略同時に、遊技盤出荷ライン１３及び本体製造ライン１４への振分けを完了することができる。
【００５１】
なお、遊技盤出荷ライン１３と本体製造ライン１４とに振り分ける遊技盤２１の所定個数(連続搬入数)を、導出された整数比の倍数となるように決定してもよい。例えば、遊技盤出荷ライン１３に振り分ける遊技盤２１の所定個数(連続搬入数)を２枚に決定し、本体製造ライン１４に振り分ける遊技盤２１の所定個数(連続搬入数)を４枚に決定してもよい。
【００５２】
一方、遊技盤２１の予定出荷個数を５０４枚、パチンコ機本体４０の予定出荷個数を９９９台に設定した場合、両個数の最大公約数は９となる。そのため、両個数を最大公約数で各々除すことにより整数比を導出しても、遊技盤出荷：本体出荷＝５６：１１１となるため、簡単な整数比とはならない。この場合、ＣＰＵ５０ａは、遊技盤２１の予定出荷個数（５０４枚）とパチンコ機本体４０の予定出荷個数（９９９台）とを所定の桁数(一の位)で端数処理(四捨五入)するようになっている。その結果、端数処理後の遊技盤２１の予定出荷個数が５００枚、端数処理後のパチンコ機本体４０の予定出荷個数が１０００台に近似される。そして、ＣＰＵ５０ａは、近似された両個数に基づいて、遊技盤２１の予定出荷個数を５００枚、パチンコ機本体４０の予定出荷個数を１０００台に設定した場合と同様の処理を行うようになっている。その結果、遊技盤出荷ライン１３に振り分ける遊技盤２１の所定個数(連続搬入数)が１枚に決定されるとともに、本体製造ライン１４に振り分ける遊技盤２１の所定個数(連続搬入数)が２枚に決定され、決定されたそれぞれの所定個数が遊技盤振分けデータとしてＲＡＭ５０ｃに記憶される。なお、端数処理による誤差を補正するために、最後に遊技盤出荷ライン１３と本体製造ライン１４とに振り分ける遊技盤２１の所定個数(連続搬入数)はそれぞれ１枚となる。
【００５３】
よって、１回ごとに遊技盤出荷ライン１３と本体製造ライン１４とに振り分けられる遊技盤２１の所定個数(連続搬入数)を少なく設定できる。従って、所定の桁数(一の位)が０ではない場合であっても、遊技盤製造ライン１２での遊技盤２１の製造終了と略同時に、遊技盤出荷ライン１３及び本体製造ライン１４への振分けを完了することができる。
【００５４】
そして、ＣＰＵ５０ａは、決定された所定個数ごとに、遊技盤２１を遊技盤出荷ライン１３と本体製造ライン１４とに交互に振り分けるようになっている。例えば、遊技盤出荷ライン１３に振り分ける遊技盤２１の所定個数(連続搬入数)が１枚に決定され、本体製造ライン１４に振り分ける遊技盤２１の所定個数(連続搬入数)が２枚に決定された場合、図５に示されるように、遊技盤出荷ライン１３に１枚の遊技盤２１が連続して搬入され、本体製造ライン１４に２枚の遊技盤２１が連続して搬入されるようになっている。
【００５５】
例えば、１枚の遊技盤２１を遊技盤出荷ライン１３に振り分ける場合、ＣＰＵ５０ａは、ＲＡＭ５０ｃに記憶された遊技盤振分けデータに基づいて、前記エアシリンダ３１を駆動する電磁弁(図示略）の制御を行う制御回路にＨレベルの駆動信号を出力する。すると、電磁弁が駆動して流路が切り替わることによりエアシリンダ３１に圧力流体が供給され、エアシリンダ３１の前記ロッド３１ａが突出する。その結果、１枚の遊技盤２１が、ロッド３１ａに押圧されて遊技盤出荷ライン１３に振り分けられる。そして、１枚の遊技盤２１の振分けが終了すると、ＣＰＵ５０ａは、再び制御回路にＨレベルの駆動信号を出力する。すると、再び電磁弁が駆動して流路が切り替わることによりエアシリンダ３１に圧力流体が供給され、ロッド３１ａが没入する。
【００５６】
一方、遊技盤２１を本体製造ライン１４に振り分ける場合には、ＣＰＵ５０ａは、ＲＡＭ５０ｃに記憶された遊技盤振分けデータに基づいて、制御回路にＬレベルの駆動信号を出力する。この場合、電磁弁が駆動して流路が切り替わることはないため、ロッド３１ａが突出することもない。よって、遊技盤２１は、ロッド３１ａに押圧されずに本体製造ライン１４に振り分けられる。
【００５７】
図４に示される前記遊技盤検出センサ１９からの遊技盤検出信号が入力されると、ＣＰＵ５０ａは、最初の遊技盤検出信号が入力されてから次の遊技盤検出信号が入力されるまでの時間、即ち、最初の遊技盤２１が製造側前工程に搬入されてから次の遊技盤２１が製造側前工程に搬入されるまでの所要時間を計測するようになっている。それとともに、ＣＰＵ５０ａは、パチンコ機本体４０の製造開始からの経過時間を計測するようになっている。また、ＣＰＵ５０ａは、パチンコ機本体４０の製造開始からの遊技盤検出信号の入力回数を計測するようになっている。
【００５８】
そして、ＣＰＵ５０ａは、所要時間、経過時間、遊技盤検出信号の入力回数の計測結果に基づいて、前記本体製造ライン１４における製造進行状況を算出するようになっている。具体的には、ＣＰＵ５０ａは、所要時間の計測結果に基づいて、１分当たり何台のパチンコ機本体４０が製造されたかを算出するようになっている。また、ＣＰＵ５０ａは、経過時間及び入力回数の計測結果により、パチンコ機本体４０の製造開始から所定時間が経過するまでの間に何台のパチンコ機本体４０が製造されたかを算出するようになっている。例えば、パチンコ機本体４０の予定出荷個数を１０００台に設定し、パチンコ機本体４０の製造に必要な予定時間を５００分に設定した場合、１分当たりのパチンコ機本体４０の製造数は２台となる。また、パチンコ機本体４０の製造開始から１時間後のパチンコ機本体４０の製造数は１２０台となり、２時間後のパチンコ機本体４０の製造数は２４０台となる。ここで、ＣＰＵ５０ａは、進行状況把握手段及び計測手段として用いられている。そして、ＣＰＵ５０ａは、液晶ディスプレイ５２に表示制御信号を出力して、ＣＰＵ５０ａによって算出された製造進行状況を液晶ディスプレイ５２に表示させるようになっている。
【００５９】
図４に示されるＣＰＵ５０ａは、遊技盤検出信号に基づいて計測された実際の製造進行状況と、本体製造ライン１４における製造進行計画とを比較するようになっている。
【００６０】
製造進行計画に比して製造進行状況が遅れている場合、ＣＰＵ５０ａは、エアシリンダ３１を駆動して遊技盤出荷ライン１３に優先的に遊技盤２１を振り分けるようになっている。例えば、１分当たりのパチンコ機本体４０の製造数を２台とし、製造開始から１時間後のパチンコ機本体４０の製造数を１２０台と計画したのにもかかわらず、本体製造ライン１４が何らかの理由で止まることにより、１分当たりのパチンコ機本体４０の製造数が０台となり、１時間後のパチンコ機本体４０の製造数が７０台しかないとする。このとき、ＣＰＵ５０ａは、エアシリンダ３１を駆動して、遊技盤出荷ライン１３に３枚の遊技盤２１を振り分けるとともに、本体製造ライン１４への遊技盤２１の振り分けを停止するようになっている(図７参照)。これにより、遊技盤製造ライン１２からの本体製造ライン１４への遊技盤２１の供給が過剰となるのを避けることができる。そして、本体製造ライン１４が再開したときには、ＣＰＵ５０ａは、エアシリンダ３１を駆動して本体製造ライン１４に優先的に遊技盤２１を振り分けるようになっている(図６参照)。その後、遊技盤検出信号に基づいて計測された実際の製造進行状況が製造進行計画と一致すると、製造進行状況の遅れが解消されて製造進行計画どおりになるため、ＣＰＵ５０ａは、遊技盤出荷ライン１３及び本体製造ライン１４への遊技盤２１の振分け割合を元通りにする。
【００６１】
また、製造進行計画に比して製造進行状況が進んでいると仮定した場合、ＣＰＵ５０ａは、エアシリンダ３１を駆動して本体製造ライン１４に優先的に遊技盤２１を振り分けるようになっている。例えば、１分当たりのパチンコ機本体４０の製造数を２台とし、製造開始から１時間後のパチンコ機本体４０の製造数を１２０台と計画したのにもかかわらず、実際には、１分当たりのパチンコ機本体４０の製造数が３台もあり、１時間後のパチンコ機本体４０の製造数が１３０台もあるとする。この場合、遊技盤出荷ライン１３に１枚の遊技盤２１が振り分けられ、本体製造ライン１４に２枚の遊技盤２１が振り分けられているとする(図５参照)。このとき、ＣＰＵ５０ａは、エアシリンダ３１を駆動して、遊技盤出荷ライン１３に１枚の遊技盤２１を振り分けるとともに、本体製造ライン１４に３枚の遊技盤２１を振り分けるようになっている(図６参照)。そして、遊技盤検出信号に基づいて計測された実際の製造進行状況が製造進行計画と一致すると、製造進行状況の進みが解消されて製造進行計画どおりになる。このため、ＣＰＵ５０ａは、遊技盤出荷ライン１３及び本体製造ライン１４への遊技盤２１の振分け割合を元通りにする。
【００６２】
従って、振分け装置３０は、本体製造ライン１４における製造進行状況に応じて振分けを行うことにより、遊技盤出荷ライン１３及び本体製造ライン１４への振分けを最も効率良く、しかも並列的に同時進行させることができる。仮に、この振分けを作業者が行う場合には、遊技盤製造ライン１２の製造スピード、本体製造ライン１４の製造スピード、さらには遊技盤出荷ライン１３及び本体出荷ライン１５の出荷スピードに考慮しつつ遊技盤２１の振分けを行わなければならない。そのため、多大な労力や熟練を要し、振分けミスも生じ易くなるが、振分け装置３０を用いる場合には、その心配がない。
【００６３】
次に、図８のフローチャートに基づいて、遊技機の製造ライン１１によって製造された遊技盤２１及びパチンコ機本体４０を出荷する方法について説明する。
【００６４】
まず、遊技盤製造ライン１２において、遊技盤本体２１ａに対して、セルを貼付する工程、多軸穴あけを施す工程、ゲージプレスを行う工程及びルータ加工を施す工程が順次行われる。そして、遊技盤本体２１ａに、複数の釘を打ち込む工程と、風車２４、入賞口２５、大型装飾部材２６、液晶式図柄表示装置２７、始動入賞口２８及び大入賞口２９などを取り付ける工程と、表示制御基板を装着する工程とが順次行われることにより、遊技盤２１が製造される。
【００６５】
そして、遊技盤製造ライン１２の最終段階において、同遊技盤製造ライン１２にて製造された遊技盤２１の良否が検査される(ステップＳ１１)。次に、遊技盤２１に貼付されたバーコードシールから、機種名、製造業者名、部品分類、製造日、シリアル番号などの情報を含むバーコードが、バーコード読取装置によって読み取られる(ステップＳ１２)。
【００６６】
そして、遊技盤製造ライン１２にて製造された遊技盤２１が、振分け装置３０によって遊技盤出荷ライン１３と本体製造ライン１４とに交互に振り分けられる(ステップＳ１３)。ここで、遊技盤出荷ライン１３と本体製造ライン１４とに振り分ける遊技盤２１の所定個数(連続搬入数)は、遊技盤２１の予定出荷個数とパチンコ機本体４０の予定出荷個数との最大公約数で両個数を各々除すことにより導出された両個数の簡単な整数比に基づいて決定される。
【００６７】
遊技盤出荷ライン１３では、ステップＳ１２において読み取られたバーコードに含まれる情報と保証番号とが関連付けられる(ステップＳ１４)。そして、保証番号に対応した遊技盤保証番号票が遊技盤本体２１ａに貼付され(ステップＳ１５)、保証番号に対応した基板管理番号票が表示制御基板に貼付される(ステップＳ１６)。そして、それぞれの番号票の照合が確認されると(ステップＳ１７)、遊技盤２１が出荷先（遊技ホール）ごとに梱包されて出荷される。
【００６８】
なお、パチンコ遊技機（パチンコ機本体４０）については、各種法令や業界団体の自己規制などに伴う数多くの詳細な規則が存在している。これらの規則により、例えば管理すべき各部材に、メーカーの都合だけでＮｏ．表示の如き計数管理手段を取り付けることが困難であったりする。その他、製造出荷後の遊技ホールなどによる不正な改造を防止などするために、出荷されるそれぞれのパチンコ機本体４０に対して、全ての規則を遵守していることを公的に証明する保証書、いわゆる証紙（遊技盤保証番号票、基板管理番号票及び後記する本体枠保証番号票）を添付することが義務付けられている。前記証紙は、前述の如く出荷されるパチンコ機本体４０ごとに個別に発行されるものであり、発行に際しては設置される場所、即ち顧客先情報などが必要とされ、これらの情報について証紙固有の保証番号が付与されている。
【００６９】
また、本体製造ライン１４では、遊技盤製造ライン１２にて製造された遊技盤が外枠４１に組み付けられる(ステップＳ１８)。そして、前枠４３、ガラス保持枠４４、上球皿４５、スピーカ４７、下球皿４８及び操作手段４９などが取り付けられ、機裏側に、音声制御基板、主制御基板及びランプ制御基板が装着されることにより、パチンコ機本体４０が製造される。その後、本体製造ライン１４では、製造されたパチンコ機本体４０の良否が検査され(ステップＳ１９)、パチンコ機本体４０に貼付されたバーコードシールから、機種名、製造業者名、部品分類、製造日、シリアル番号などの情報を含むバーコードが、バーコード読取装置によって読み取られる(ステップＳ２０)。
【００７０】
そして、本体出荷ライン１５では、ステップＳ１２，Ｓ２０において読み取られたバーコードに含まれる情報と保証番号とがそれぞれ関連付けられる(ステップＳ２１)。そして、保証番号に対応した遊技盤保証番号票が遊技盤本体２１ａに貼付され(ステップＳ２２)、保証番号に対応した本体枠保証番号票が外枠４１に貼付され(ステップＳ２３)、保証番号に対応した基板管理番号票が主制御基板に貼付される(ステップＳ２４)。そして、それぞれの番号票の照合が確認されると(ステップＳ２５)、パチンコ機本体４０が出荷先(遊技ホール)ごとに梱包されて出荷される。
【００７１】
従って、本実施形態によれば以下のような効果を得ることができる。
【００７２】
（１）振分け装置３０による遊技盤２１の振分けにより、遊技盤出荷を行いつつ本体製造ライン１４への遊技盤２１の供給も可能となる。よって、遊技盤製造ライン１２での遊技盤２１の製造終了と略同時に遊技盤出荷ライン１３及び本体製造ライン１４への振分けを完了することができる。従って、先程とは異なる種類の遊技盤の製造を時間をおかずに開始することができるとともに、その振分けを開始することができる
【００７３】
さらに、遊技盤製造ライン１２で製造された遊技盤２１が、振分け装置３０により、遊技盤２１の予定出荷個数を分割して設定した所定個数(連続搬入数)及びパチンコ機本体４０の予定出荷個数を分割して設定した所定個数(連続搬入数)ごとに、遊技盤出荷ライン１３と本体製造ライン１４とに交互に振り分けられる。そのため、作業者が遊技盤出荷と本体出荷の数量をチェックしながら遊技盤２１を振り分ける必要がなくなり、効率の良い振分けが可能となる。加えて、振分け装置３０による振分け作業の機械化（自動化）により、作業者による振分けミスもなくなる。ゆえに、出荷形態に応じて効率よく振分けを行うことができる。
【００７４】
しかも、遊技盤出荷を行いつつ、同時に本体製造ライン１４を介して本体出荷を行うことも可能となる。よって、遊技盤出荷及び本体出荷を略同時に行うことができる。
【００７５】
（２）遊技盤出荷ライン１３と本体製造ライン１４とに振り分ける遊技盤２１の所定個数(連続搬入数)は、遊技盤検出センサ１９から出力された遊技盤検出信号に基づいて見直される。よって、見直しが行われない特許文献１の場合に比べて、遊技盤２１の振分けを精密に制御することができる。
【００７６】
（３）本実施形態では、進行状況把握手段として、遊技盤出荷ライン１３の１つの工程の所要時間を計測するとともに、本体製造ライン１４の１つの工程の所要時間を計測するＣＰＵ５０ａが用いられているため、製造進行状況を高い精度で把握することができる。よって、振分け装置３０により、遊技盤２１を遊技盤出荷ライン１３と本体製造ライン１４とに正確に振り分けることができる。
【００７７】
なお、本発明の実施形態は以下のように変更してもよい。
【００７８】
・上記実施形態では、遊技盤出荷ライン１３と本体製造ライン１４とに振り分けられる遊技盤２１の所定個数(連続搬入数)は、遊技盤２１の予定出荷個数とパチンコ機本体４０の予定出荷個数との最大公約数で両個数を各々除した簡単な整数比に基づいて決定されるようになっていた。しかし、遊技盤出荷ライン１３と本体製造ライン１４とに振り分けられる遊技盤２１の所定個数(連続搬入数)を、遊技盤２１の予定出荷個数及びパチンコ機本体４０の予定出荷個数のうち少ないほうの個数の１／１０以下(好ましくは１／２０以下)となるように設定してもよい。
【００７９】
例えば、遊技盤２１の予定出荷個数を５００枚、パチンコ機本体４０の予定出荷個数を１０００台に設定した場合、両個数のうち少ないほうの個数の１／１０は５０となる。この場合、遊技盤出荷ライン１３と本体製造ライン１４とに振り分けられる遊技盤２１の所定個数(連続搬入数)を５０以下となるように設定してもよい。例えば、遊技盤出荷ライン１３に振り分ける遊技盤２１の所定個数(連続搬入数)を５枚に設定し、本体製造ライン１４に振り分ける遊技盤２１の所定個数(連続搬入数)を７枚に設定してもよい。
【００８０】
・上記実施形態では、振分け装置３０は、遊技盤２１を遊技盤出荷ライン１３に導くエアシリンダ３１を備えていた。しかし、振分け装置３０に、遊技盤２１を遊技盤出荷ライン１３に導く第１のアクチュエータと、遊技盤２１を本体製造ライン１４に導く第２のアクチュエータとをそれぞれ別個に設けてもよい。
【００８１】
・なお、上記実施形態では、遊技盤検出センサ１９は、本体製造ライン１４における製造側前工程を通過する遊技盤２１を検出して、遊技盤検出信号を出力するようになっていた。しかし、遊技盤検出センサ１９は、本体製造ライン１４における他の工程（例えば、遊技盤２１を外枠４１に組み付ける工程、前枠４３、ガラス保持枠４４、上球皿４５、スピーカ４７、下球皿４８及び操作手段４９などを取り付ける工程、機裏側に、音声制御基板、主制御基板及びランプ制御基板を装着する工程など）を通過する遊技盤２１を検出して、遊技盤検出信号を出力するようにしてもよい。また、遊技盤検出センサ１９は、本体製造ライン１４における全工程を通過する遊技盤２１を検出して、遊技盤検出信号を出力するようにしてもよい。
【００８２】
・上記実施形態では、遊技盤検出センサ１９は本体製造ライン１４に設けられていた。しかし、遊技盤検出センサ１９を、遊技盤出荷ライン１３の始端側（本体製造ライン１４との分岐部分）にも設けてよい。
【００８３】
次に、特許請求の範囲に記載された技術的思想のほかに、前述した実施形態によって把握される技術的思想を以下に列挙する。
【００８４】
（１）前記遊技盤振分け手段は、前記遊技盤を前記遊技盤出荷ラインに導く第１のアクチュエータと、前記遊技盤を前記本体製造ラインに導く第２のアクチュエータと備えることを特徴とする請求項１乃至５のいずれか１項に記載の遊技機の製造ライン。
【００８５】
（２）前記遊技盤振分け手段は、前記進行状況把握手段によって把握された前記製造進行状況を表示する表示手段を備えることを特徴とする請求項４または５に記載の遊技機の製造ライン。
【００８６】
（３）前記進行状況把握手段は前記遊技盤出荷ラインにも設けられており、前記遊技盤出荷ラインに設けられた前記進行状況把握手段は、前記遊技盤出荷ラインにおける出荷進行状況を把握することを特徴とする請求項４または５、技術的思想（２）のいずれか１つに記載の遊技機の製造ライン。
【００８７】
（４）遊技盤の製造を行う遊技盤製造ラインと、前記遊技盤製造ラインで製造された前記遊技盤を出荷する遊技盤出荷ラインと、前記製造された遊技盤を枠体に組み付けて遊技機本体を製造する本体製造ラインと、前記本体製造ラインで製造された前記遊技機本体を出荷する本体出荷ラインとを有する遊技機の製造ラインであって、前記遊技盤製造ラインで製造された前記遊技盤を、遊技盤出荷すべき予定個数と本体出荷すべき予定個数との割合に応じた所定の振分け割合で、前記遊技盤出荷ラインと前記本体製造ラインとに所定個数ごとに交互に振り分ける遊技盤振分け手段を備えたことを特徴とする遊技機の製造ライン。
【００８８】
（５）遊技盤の製造を行う遊技盤製造ラインと、前記遊技盤製造ラインで製造された前記遊技盤を出荷する遊技盤出荷ラインと、前記製造された遊技盤を枠体に組み付けて遊技機本体を製造する本体製造ラインと、前記本体製造ラインで製造された前記遊技機本体を出荷する本体出荷ラインとを有する遊技機の製造ラインであって、前記遊技盤製造ラインで製造された前記遊技盤を、遊技盤出荷すべき予定個数と本体出荷すべき予定個数との割合に応じた所定の振分け割合で、前記遊技盤出荷ラインと前記本体製造ラインとに振り分ける遊技盤振分け手段を備えるとともに、前記遊技盤振分け手段による振り分けを行う際の前記遊技盤出荷ラインへの連続搬入数及び前記本体製造ラインへの連続搬入数が、前記遊技盤出荷すべき予定個数及び前記本体出荷すべき予定個数のうち少ないほうの個数の１／１０以下となるように設定されていることを特徴とする遊技機の製造ライン。
【００８９】
（６）遊技盤を枠体に組み付けて遊技機本体を製造する本体製造ラインにおける製造進行状況を把握し、把握した実際の製造進行状況があらかじめ決定された製造進行計画から外れた場合、少なくとも前記製造進行状況が前記製造進行計画どおりになるまでの一定期間、前記遊技盤の振分け割合を変更することを特徴とする遊技盤の振り分け方法。
【図面の簡単な説明】
【００９０】
【図１】本発明における遊技機の製造ラインを示す概略図。
【図２】遊技盤製造ラインによって製造される遊技盤の正面図。
【図３】本体製造ラインによって製造されるパチンコ機本体の正面図。
【図４】遊技機の製造ラインの電気的な構成を示すブロック図。
【図５】製造ラインにおける遊技盤の振分けを説明するための図。
【図６】製造ラインにおける遊技盤の振分けを説明するための図。
【図７】製造ラインにおける遊技盤の振分けを説明するための図。
【図８】遊技盤出荷及び本体出荷の流れを示すフローチャート。
【符号の説明】
【００９１】
１１…遊技機の製造ライン（製造ライン）
１２…遊技盤製造ライン
１３…遊技盤出荷ライン
１４…本体製造ライン
１５…本体出荷ライン
２１…遊技盤
３０…遊技盤振分け手段としての振分け装置
４０…遊技機本体としてのパチンコ機本体
４１…枠体としての外枠
５０ａ…進行状況把握手段及び計測手段としてのＣＰＵ
【図１】
2005124659.tif 000003
【図２】
2005124659.tif 000004
【図３】
2005124659.tif 000005
【図４】
2005124659.tif 000006
【図５】
2005124659.tif 000007
【図６】
2005124659.tif 000008
【図７】
2005124659.tif 000009
【図８】
2005124659.tif 000010